(57)【要約】【課題】  開閉時のドアの動きをユーザが確認しやすいドア照明装置の提供【解決手段】  後方ランプ１６が車両のドアに設けられたドア照明装置において、ドア開放後のドアの開閉状態に応じて後方ランプ１６の点灯状態が変更される。後方ランプ１６の点灯状態の変更には、点滅間隔（ゼロを含む）の変更、光量や輝度（強度）の変更等が含まれる。【選択図】  図２
2005138789.tif 000002
【特許請求の範囲】
【請求項１】
発光手段が車両のドアに設けられたドア照明装置において、
ドア開放後のドアの開閉状態に応じて発光手段の点灯状態が変更されることを特徴とする、ドア照明装置。
【請求項２】
ドアの開閉速度に基づいて発光手段の点灯状態が変更される、請求項１記載のドア照明装置。
【請求項３】
ドア停止状態とドア移動状態とで発光手段の点灯状態が変更される、請求項２記載のドア照明装置。
【請求項４】
ドア停止状態では発光手段が常に点灯した状態とされ、ドア移動状態では発光手段が点滅した状態とされる、請求項３記載のドア照明装置。
【請求項５】
ドアの開度に基づいて発光手段の点灯状態が変更される、請求項１記載のドア照明装置。
【請求項６】
ドア開放初期段階とドア開放中期段階とで発光手段の点灯状態が変更される、請求項５記載のドア照明装置。
【請求項７】
ドア開放中期段階とドア開放後期段階とで発光手段の点灯状態が変更される、請求項５記載のドア照明装置。
【請求項８】
ドアの開度が大きいほど発光手段の点滅間隔が小さくなる区間を有する、請求項５記載のドア照明装置。
【請求項９】
ドアの開度が小さいほど発光手段の点滅間隔が小さくなる区間を有する、請求項５記載のドア照明装置。
【発明の詳細な説明】
【技術分野】
【０００１】
本発明は、発光手段が車両のドアに設けられたドア照明装置に関する。
【背景技術】
【０００２】
従来から、車両のドアが開放されていることを周囲に注意喚起するために、ドアの後端部にＬＥＤランプ等の発光手段を設け、ドア開時に当該発光手段を点灯若しくは点滅させるドア照明装置が知られている（例えば、特許文献１参照）。また、この種のドア照明装置において、日射センサにより周囲の明るさを検出し、周囲の明るさに応じて発光手段の点灯制御を行う技術が知られている（例えば、特許文献２参照）。
【特許文献１】特開平６−７５８９６号公報
【特許文献２】特開平９−１３２０８３号公報
【発明の開示】
【発明が解決しようとする課題】
【０００３】
しかしながら、上述の従来技術によるドア照明装置では、ドア開放後に発光手段を一定に点灯若しくは点滅させるものであるため、周囲の人若しくはユーザ自身にとっては、発光手段の点灯等の有無を頼りにして、ドアが開いているか若しくは閉まっているかを視認できるものの、開閉時のドアの動きを発光手段の点灯状態を頼りにして確認することができないという問題点がある。
【０００４】
そこで、本発明は、開閉時のドアの動きをユーザが確認しやすいドア照明装置の提供を目的とする。
【課題を解決するための手段】
【０００５】
上記課題を解決するため、本発明の一局面によれば、発光手段が車両のドアに設けられたドア照明装置において、
ドア開放後のドアの開閉状態に応じて発光手段の点灯状態が変更されることを特徴とする、ドア照明装置が提供される。
【０００６】
本局面において、発光手段の点灯状態の変更は、発光手段の点滅間隔（ゼロを含む）の変更、光量や輝度（強度）（ゼロを含む）の変更により実現されてよく、また、特に発光手段が複数個ある場合には、発光する発光手段の数の変更、異なる発光色の発光手段の点灯、発光する発光手段の位置の変更等により実現されてよい。
【０００７】
本局面において、効果的には、発光手段の点灯状態は、ドアの開閉速度に基づいて変更される。ドアの開閉速度にはゼロ（即ち、ドアの停止状態）が含まれる。また、この場合、ドア停止状態（ドアの開閉速度≒ゼロ）とドア移動状態（ドアの開閉速度≠ゼロ）とで発光手段の点灯状態が変更されてよい。この際、ドア停止状態では発光手段が常に点灯した状態とされ、ドア移動状態では発光手段が点滅した状態とされてよい。
【０００８】
また、本局面において、効果的には、発光手段の点灯状態は、ドアの開度に基づいて変更される。この場合、ドア開放初期段階とドア開放中期段階とで発光手段の点灯状態が変更されてよく、及び／又は、ドア開放中期段階とドア開放後期段階とで発光手段の点灯状態が変更されてよい。また、ドアの開度が大きいほど発光手段の点滅間隔が小さくなる区間が存在してよい。この場合、ドアの全開位置で発光手段の点滅間隔がゼロ（即ち、常時点灯）に収束するように点滅間隔が小さくされてよい。また、ドアの開度が小さいほど発光手段の点滅間隔が小さくなる区間が存在してよい。この場合、ドアの全閉位置直前で発光手段の点滅間隔がゼロ（即ち、常時点灯）に収束するように点滅間隔が小さくされてよい。
【発明の効果】
【０００９】
本発明によれば、開閉時のドアの動きをユーザが確認しやすいドア照明装置を得ることができる。
【発明を実施するための最良の形態】
【００１０】
以下、図面を参照して、本発明を実施するための最良の形態の説明を行う。
【００１１】
図１は、本発明によるドア照明装置の一実施例を示すシステム構成図である。本実施例のドア照明装置は、電子制御装置１０（以下、「ＥＣＵ１０」という）を中心に構成されている。
【００１２】
ＥＣＵ１０には、車両のドアの開閉をその駆動力で実現するアクチュエータ２０が接続される。アクチュエータ２０は、ＥＣＵ１０による制御下で、ドア開閉スイッチ２２に対するユーザ操作（若しくは、キーからの無線信号）に応答して、ドアの自動開閉を実現する。尚、ドア開閉スイッチ２２は、例えば車室内のインストルメントパネル等に配置されてよい。尚、本発明は、特にドアの自動開閉を実現する機構について詳細に特定するものでなく、如何なる構成や特徴を有するドア開閉機構に対しても適用可能である。尚、典型的には、ドア開閉機構は、ドアチェッカーにアクチュエータ２０の出力軸を減速機構等を介して機械的に接続させたものであってよい。
【００１３】
ＥＣＵ１０には、ドアの開閉を検出するドアカーテシスイッチ１２が接続されている。ＥＣＵ１０は、ドアカーテシスイッチ１２のオン／オフ状態に応じてドアの開閉を検知する。ＥＣＵ１０には、また、周囲の明るさを検出するコンライトセンサー（日射センサ）１４が接続されている。コンライトセンサー１４は、インストルメントパネル等に設けられる。
【００１４】
ＥＣＵ１０には、ＬＥＤ（発光ダイオード）やＥＬ（エレクトロルミネッセンス）等の発光素子を備える後方ランプ１６が接続されている。後方ランプ１６は、ドアに設けられ、ドア開放時に後方にいる人及びドアを開放するユーザが視認しやすい位置に設定されてよい。尚、後方ランプ１６の搭載位置及び搭載手法の詳細については後述する。
【００１５】
次に、図２及び図３を参照して、ＥＣＵ１０により実現される後方ランプ１６の点灯制御について説明する。図２は、本実施例の後方ランプ１６の点灯制御の流れを示すフローチャートである。図３は、点灯制御中における後方ランプ１６の点灯状態の変化を示すタイミングチャートであり、横軸にドアの開度（ドアの開方向の位置）、縦軸に後方ランプ１６の点滅間隔（所定時間に占める点滅回数）が示されている。尚、以下の説明は、ドア自動開時の制御に関するものであるが、ドア自動閉時の制御に対しても同様に適用可能である。
【００１６】
図２を参照するに、ステップ１００において、ユーザがドアの全閉位置でドア開閉スイッチ２２を操作すると、ストライカがドアラッチから解放される。この結果、ドアがボディから離れ、ＥＣＵ１０にドアカーテシスイッチ１２からオン信号が入力される（ステップ１１０）。ＥＣＵ１０は、ドアカーテシスイッチ１２からのオン信号を受けて、ドアが開放されたと判断すると、ＥＣＵ１０は、コンライトセンサー１４の出力信号に基づいて、後方ランプ１６の点灯の必要性を判断する（ステップ１２０）。この際、周囲環境が昼間であると判断できる場合、後方ランプ１６の点灯が実行されることなく（ステップ１３０）、一方、夜間であると判断した場合、ＥＣＵ１０は、先ず、後方ランプ１６を点灯させる（ステップ１４０）。
【００１７】
その後、ＥＣＵ１０は、アクチュエータ２０による自動ドア開作動を開始し（図３中の“オートドア作動開始時点”参照）、自動ドア開作動が実行されている間（ステップ１５０のＹＥＳ判定）、ステップ１６０の処理を実行する。尚、後方ランプ１６は、ドアの全閉位置から自動ドア開作動が開始されるまでの間は、図３にも示すように、常灯状態である（即ち、点滅間隔がゼロ）。
【００１８】
アクチュエータ２０による自動ドア開作動が開始されると、ＥＣＵ１０は、ドアの開閉状態に応じて後方ランプ１６の点灯状態を変化させる処理を実行する（ステップ１６０）。
【００１９】
第１の例では、後方ランプ１６は、自動ドア開作動中、点滅させられる。この場合、後方ランプ１６の点滅は、自動ドア開作動が停止した際に終了される（ステップ１７０）。即ち、後方ランプ１６は、ドアの全開位置、又は、全開位置と全閉位置の間の停止位置で（自動ドア開作動の停止時）、点滅状態から常灯状態に移行する。即ち、本例では、ドアが動いている間（自動ドア開作動中）のみ後方ランプ１６が点滅し、ドアが動いていない際（ドア開放から自動ドア開作動開始までの区間Ｘ（図３参照）を含む）には、後方ランプ１６が常灯する。これにより、ドアが動いているか否かをユーザ（若しくは車両周辺の他人）が容易に判別することが可能となる。この結果、後方ランプ１６の視認性のみならず自動ドア開作動の安全性が向上する。
【００２０】
尚、本例において、代替的に、ドアが全開位置にあるときだけ後方ランプ１６を常灯させ、全閉位置を除くその他の位置（区間Ｘ（図３参照）内の位置を含む）で後方ランプ１６を点滅させてもよい。或いは、本例において、自動ドア開作動開始直後の短時間だけ後方ランプ１６の常灯状態を維持してもよい。或いは、逆に、自動ドア開作動中に後方ランプ１６を常灯させ、ドアが動いていない際（区間Ｘ（図３参照）を含む）に後方ランプ１６を点滅させてもよい。
【００２１】
また、本例において、代替的に、ドアの開速度に応じて後方ランプ１６の点灯状態を変化させてもよい。例えば、ドア開速度が所定値より小さい場合には、後方ランプ１６を常灯状態とし、ドア開速度が所定値を超えた場合に、点滅状態としてもよい。尚、ドアの開速度は、例えば、自動ドア開作動の初期段階（図３の区間Ａ参照）において徐々に増加し、自動ドア開作動の中期段階（図３の区間Ｂ参照）において一定となり、自動ドア開作動の後期段階（図３の区間Ｃ参照）において徐々に減少するものであってよい。また、ドアの開速度は、アクチュエータ２０の作動角等に基づいて検出されてよい。また、この変形例として、ドア開速度が上記所定値を超えた場合、更に、ドアの開速度に応じて後方ランプ１６の点滅状態を変化させてもよい（即ち、後述する如く点滅間隔を変化させてもよい）。
【００２２】
第２の例では、図３に実線で示すように、自動ドア開作動の初期段階（区間Ａ）において後方ランプ１６の点滅間隔を徐々に広げていき（即ち、点滅周期を小さくしていき）、自動ドア開作動の中期段階（区間Ｂ）において後方ランプ１６の点滅間隔を一定に保ち、自動ドア開作動の後期段階（区間Ｃ）において後方ランプ１６の点滅間隔を徐々に狭くしていってよい。尚、この点滅間隔の変化点（即ち、中期段階の開始・終了点）は、アクチュエータ２０の作動角等に基づいて判断されてよい。このように、点滅間隔を変化させることで、ユーザ（若しくは車両周辺の他人）にとってドアの動きが予測・把握し易いものとなる。即ち、本例では、自動ドア開作動の初期段階と中期段階とで異なる点滅間隔を設定すると共に、自動ドア開作動の中期段階と後期段階とで異なる点滅間隔を設定している。これにより、ドアの動き出し及びドアの停止が予測し易くなり、ドアの動きが自動ドア開作動中の全体を通して予測・視認し易いものとなる。この結果、後方ランプ１６の視認性のみならず自動ドア開作動の安全性が向上する。また、本例では、点滅間隔が滑らかに（本例では線形的に）変化されるので、常灯状態と点滅状態との間の遷移が滑らに実現され、商品性が向上する。
【００２３】
尚、本例において、代替的に、自動ドア開作動開始直後に点滅間隔を一時的に大きくし、その後、標準的な点滅間隔で一定に保ち、自動ドア開作動終了間際に再び点滅間隔を一時的に大きくしてもよい（但し、自動ドア開作動終了後は常灯）。このように、自動ドア開作動の開始・終了付近で点滅間隔を急激に変化させることで、注意喚起度を高めることも有効である。
【００２４】
尚、上記各例において、点滅状態と常灯状態とにより後方ランプ１６の点灯状態を変化させる構成に代えて、点灯時の後方ランプ１６の光量・強度（輝度）を変化させることとしてもよい。この場合、上述の各例の点滅状態が光量・強度（輝度）が小さい状態に対応し、常灯状態が光量・強度（輝度）が大きい状態に対応する。また、点滅間隔を徐々に変化させることは、光量・強度（輝度）を徐々に変化させることに対応する。尚、この場合、後方ランプ１６の点灯状態は、後方ランプ１６の光量・強度（輝度）のみならず、上記各例と同様に点滅状態及び常灯状態によっても変化されてよい。
【００２５】
また、上記各例において、後方ランプ１６の点灯状態の変化は、後方ランプ１６の発光色を変化させることで実現してもよい。この構成は、異なる色を発光する後方ランプ１６を少なくとも２種類設定することで実現されてよい。この場合、後方ランプ１６の点灯状態は、後方ランプ１６の点灯色のみならず、上記各例と同様に点滅状態及び常灯状態によっても変化されてよい。
【００２６】
次に、図４以下の図面を参照して、後方ランプ１６の搭載位置及び搭載方法の好適な実施例について説明する。
【００２７】
図４は、ドアインナ側から見た後方ランプ１６の搭載位置を示す図であり、図４には、搭載状態の後方ランプ１６の拡大図が併せて示されている。本実施例の後方ランプ１６は、図示のように、ドア上部後端（ドアパネルの上部後端角部）に取り付けられる。このように、ドア開閉時にユーザの顔付近の高さを通過するドア上部後端（ドアエッジ）に後方ランプ１６を設定することで、後方ランプ１６の視認性のみならず自動ドア開作動の安全性が向上する。
【００２８】
図５は、後方ランプ１６の拡大図である。後方ランプ１６は、アクリル板で形成された透明な導光板１６ａを備える。導光板１６ａは、ドア上部後端の角部に対応したＬ字型の形態を有する。導光板１６ａの端部には、ＬＥＤ１６ｂが固定されている。このように、導光板１６ａとＬＥＤ１６ｂとを組み合わせることで、少ない個数（本例では１個）のＬＥＤ１６ｂによっても十分な光量を得ることができる。
【００２９】
図６は、後方ランプ１６の取り付け構造を示す図であり、図５の矢視Ａで見た後方ランプ１６とドアパネルを示している。後方ランプ１６の導光板１６ａは、樹脂製の支持部材１７に接着等により固定されている。支持部材１７には、嵌合穴１７ａが形成され、この嵌合穴１７ａにドア側のＴ字リベット１９がスナップ式に嵌合（スナップフィット）される。尚、Ｔ字リベット１９は、嵌合穴１７ａの穴形状に対応するＴ字ヘッドを持つリベットであり、ドアパネルに溶接等により固定される。支持部材１７の裏面（導光板１６ａが設けられていない側の面）には、必要に応じて両面テープ１７ｂが設けられてよい。この場合、両面テープ１７ｂがドアパネルに接着されることで、後方ランプ１６の回転が拘束される。このように、本例では、後方ランプ１６がドアパネルにスナップ式で取り付けられるので、後方ランプ１６の組み付け性が良好である。
【００３０】
図７は、後方ランプ１６のＬＥＤ１６ｂに接続されるワイヤハーネス２１の配索構造及び組み付け方法を示す図である。ワイヤハーネス２１は、ドアフレーム（ドアピラー）２３の内部空間７０（ドアサッシュ部に形成される空間７０（図９参照））を利用して配索される。具体的には、ワイヤハーネス２１の端部のコネクタ２１ａは、ドアフレーム２３上部の入口穴２３ａからドアフレーム２３内に入れられ（図７（Ａ）中の矢印参照）、ドアフレーム２３下部（ドアベルトライン付近）の出口穴２３ｂから取り出される（図７（Ｂ）中の矢印参照）。出口穴２３ｂから取り出されたコネクタ２１ａは、最終的には、ドアトリム内を通ってボディ側からのコネクタ（図示せず）に接続される。尚、ボディとドアとの間をシールするためのドアウェザーストリップ（図示せず）は、入口穴２３ａからＬＥＤ１６ｂまでのワイヤハーネス２１を少なくとも部分的に覆うように、ドアフレーム２３に形成された取り付け部２５に取り付けられる。このように、ワイヤハーネス２１をドアフレーム２３に貫通させて取り回すことで、ドアウェザーストリップとの干渉が防止され、見栄えも良好となる。
【００３１】
図８（Ａ）及び図８（Ｂ）は、ドアフレーム２３の入口穴２３ａ及び出口穴２３ｂの構造をそれぞれ示す図であり、図７（Ａ）及び図７（Ｂ）におけるそれぞれＳ−Ｓ断面及びＲ−Ｒ断面を示す。本例では、ドアフレーム２３の入口穴２３ａには、コネクタ２１ａのドアフレーム２３内への挿入を容易化する傾斜面２３ｃが形成され、ドアフレーム２３の出口穴２３ｂには、コネクタ２１ａのドアフレーム２３内からの取り出しを容易化する傾斜面（滑り台）２３ｄが形成されている。入口穴２３ａ及び出口穴２３ｂは、これらの傾斜面２３ｃ、２３ｄと同時に形成されてよい。即ち、傾斜面２３ｃ、２３ｄは、ドアフレーム２３の切り欠き面を内側に折り曲げることで形成されてよい。これにより、ドアフレーム２３の入口穴２３ａ及び出口穴２３ｂでのコネクタ２１ａの引っ掛かりが防止され、組み付け性が向上する。
【００３２】
図９は、ワイヤハーネス２１の配索構造の代替実施例を示す図であり、図４のＴ−Ｔ断面を示す。本実施例では、ワイヤハーネス２１は、ドアフレーム２３内の空間７０を利用するのではなく、ドアウェザーストリップを利用して配索される。具体的には、ドアウェザーストリップ２７の底部（ドアフレーム２３への取り付け側）には、ワイヤハーネス２１を収容・保持するための溝２７ａが形成される。ワイヤハーネス２１は、上述の如く後方ランプ１６がドアに取り付けられた後、ドアウェザーストリップ２７の溝２７ａに組み入れられる。ワイヤハーネス２１が組み入れられたドアウェザーストリップ２７は、通常通り、ドアフレーム２３に形成された取り付け部２５に組み付けられる。尚、ドアウェザーストリップ２７の底部には、ワイヤハーネス２１がドアウェザーストリップ２７内から取り出されるように、上述の溝２７ａに垂直をなす方向に同様の溝２７ｂ（図９中、点線により図示）が形成されてよい。尚、本例において、図１０に示すように、ワイヤハーネス２１は、ドアウェザーストリップ２７と一体成形されるものであってもよい。
【００３３】
以上、本発明の好ましい実施例について詳説したが、本発明は、上述した各実施例に制限されることはなく、本発明の範囲を逸脱することなく、上述した各実施例に種々の変形及び置換を加えることができる。
【００３４】
例えば、上述した実施例は、車両のどのドアに対しても適用可能であり、例えば運転席側のドアに対してのみ適用されてもよく、若しくは、助手席側のドアに対してのみ適用されてもよく、又は、特定の複数のドア又は全てのドアに対して適用されてもよい。
【００３５】
また、上述した実施例は、スライド式の開閉やスイング式の開閉等を含む如何なる開閉方式のドアに対しても適用可能であり、バックドア、フード、トランク等が自動開閉される場合にはこれらに対しても適用可能である。
【００３６】
また、上述した実施例は、ドアの開作動及び閉作動の双方が自動的に実現される自動ドア開閉装置に関するものであったが、ドアの開作動のみが自動的に実現される構成に対しても適用可能である。
【００３７】
また、上述した実施例において、ドアの自動開閉作動は、ドア開閉スイッチ２２が所定時間以上操作された場合に実現されるものであってよく、若しくは、ドアの自動開閉作動は、ドア開閉スイッチ２２の操作されている間にのみ実現されるもの（即ち、ドア開閉スイッチ２２の操作を止めるとドアの開閉作動が止まるもの）であってもよい。また、ドアの自動開閉作動は、ドア開閉スイッチ２２の手動操作のみならず、例えばキーからのワイヤレス信号に応答して実現されるものであってもよい。
【図面の簡単な説明】
【００３８】
【図１】本発明によるドア照明装置の一実施例を示すシステム構成図である。
【図２】本実施例のＥＣＵ１０により実現される後方ランプ１６の点灯制御を示すフローチャートである。
【図３】点灯制御中における後方ランプ１６の点灯状態の変化を示すタイミングチャートである。
【図４】後方ランプ１６の搭載位置を示す概略図である。
【図５】後方ランプ１６の拡大図である。
【図６】後方ランプ１６の取り付け構造を示す概略図である。
【図７】ワイヤハーネス２１の配索構造及び組み付け方法を示す図である
【図８】ドアフレーム２３の入口穴２３ａ及び出口穴２３ｂの構造を示す概略図である。
【図９】ワイヤハーネス２１の配索構造の代替実施例を示す概略図である。
【図１０】図９の代替実施例の変形例を示す概略図である。
【符号の説明】
【００３９】
１０    ＥＣＵ
１２    ドアカーテシスイッチ
１６    後方ランプ
【図１】
2005138789.tif 000003
【図２】
2005138789.tif 000004
【図３】
2005138789.tif 000005
【図４】
2005138789.tif 000006
【図５】
2005138789.tif 000007
【図６】
2005138789.tif 000008
【図７】
2005138789.tif 000009
【図８】
2005138789.tif 000010
【図９】
2005138789.tif 000011
【図１０】
2005138789.tif 000012